(57)【特許請求の範囲】
【請求項１】
家具システムの３次元耐負荷管構造の管への挿入用の負荷モジュールであって、前記負荷モジュールが、細長のハウジングを備え、前記負荷モジュールに電気接触するための２つの接触要素であって、異なる極性を有する、２つの接触要素が、前記ハウジングの外側に配置され、前記接触要素が、前記負荷モジュールが前記挿入状態にあるとき、それらが、前記管の内部に配置されている異なる極性の２つの接触エリアに、ほぼ半径方向において接触し、かつ前記ハウジングが、長手方向において中央にある領域であって、少なくとも１つの突出要素を有する、領域と、長手方向において外側にある領域も有するように、配置され、前記少なくとも１つの突出要素が、前記負荷モジュールが前記管に収容される際に、前記管の切り欠きの縁と相互作用し、かつ、前記負荷モジュールが前記管に収容される際に、前記ハウジングの前記外側領域が、前記切り欠きに隣接する領域において、前記管の内側ケーシングに重みをかけるような形で、前記負荷モジュールが、前記管構造の管であって、前記細長の切り欠きが設けられている、管に挿入され得、前記接触要素のうちの第１の接触要素が、前記外側領域のうちの１つにおいて、第１の周縁位置に配置されることを特徴とする、負荷モジュール。
【請求項２】
前記接触要素のうちの第２の接触要素が、前記第１の周縁位置に対して少なくとも６０°、好ましくは少なくとも９０°、特に好ましくは少なくとも１３５°の角度を囲む、第２の周縁位置に配置されることを特徴とする、請求項１に記載の負荷モジュール。
【請求項３】
前記接触要素のうちの少なくとも１つが、弾性設計の接触要素であることを特徴とする、請求項１又は２に記載の負荷モジュール。
【請求項４】
照明要素を備えることを特徴とする、請求項１から３のいずれか一項に記載の負荷モジュール。
【請求項５】
前記照明要素の光出口エリアが、前記ハウジングの前記中央領域内に配置されることを特徴とする、請求項４に記載の負荷モジュール。
【請求項６】
３次元耐負荷管構造を有する家具システムであって、
ａ）複数の管であって、前記管のうちの少なくとも１つが、前記管の内部に配置されている異なる極性の２つの接触エリアを有する、複数の管と、
ｂ）２つ以上の管を互いに機械的に締結させるための複数の３次元節点要素と、
ｃ）前記家具システムの前記３次元耐負荷管構造の前記少なくとも１つの管への挿入用の少なくとも１つの負荷モジュールであって、前記負荷モジュールが、細長のハウジングを備え、前記負荷モジュールに電気接触するための２つの接触要素であって、異なる極性を有する２つの接触要素が、前記ハウジングの外側に配置され、前記接触要素が、前記負荷モジュールが前記挿入状態にあるとき、それらが、前記管の内部に配置されている異なる極性の２つの接触エリアに、ほぼ半径方向において接触するような形で、配置される、少なくとも１つの負荷モジュールと、を備える、家具システム。
【請求項７】
前記管のうちの前記少なくとも１つが、前記管に沿った第１の極性の電流と第２の極性の電流とを伝導するための、前記管に沿って走り、かつ互いから絶縁された２つの電流導体を有することを特徴とする、請求項６に記載の家具システム。
【請求項８】
電流を伝導するための、互いから絶縁された前記２つの電流導体が、前記少なくとも１つの管内で、互いに同軸に配置されることを特徴とする、請求項７に記載の家具システム。
【請求項９】
前記少なくとも１つの管が、導電性材料から成り、かつ前記第１の極性を伝導する働きをする構造管要素と、前記第２の極性を伝導するための、前記構造管要素内に絶縁された様式で収容された内部導体と、を備えることを特徴とする、請求項８に記載の家具システム。
【請求項１０】
前記内部導体が、前記管に挿入される導電性箔によって形成され、かつ１つの端において絶縁されていることを特徴とする、請求項９に記載の家具システム。
【請求項１１】
前記少なくとも１つの管が、細長の切り欠きを有し、前記少なくとも１つの負荷モジュールが、それが、前記細長の切り欠きを通して前記少なくとも１つの管に挿入され得るような形で設計されていることを特徴とする、請求項６から１０のいずれか一項に記載の家具システム。
【請求項１２】
前記少なくとも１つの負荷モジュールの前記接触要素のうちの第１の接触要素が、前記負荷モジュールが挿入された状態で、前記負荷モジュールの領域であって、前記切り欠きに隣接する、領域に配置される、ことを特徴とする、請求項１１に記載の家具システム。
【請求項１３】
前記少なくとも１つの負荷モジュールの前記接触要素のうちの第２の接触要素が、前記負荷モジュールが挿入された状態で、前記負荷モジュールの領域であって、前記第１の接触領域に対して、１８０°ずれる周縁位置である、領域に配置される、ことを特徴とする、請求項１２に記載の家具システム。
【発明の詳細な説明】
【技術分野】
【０００１】
本発明は、家具システムの３次元耐負荷管構造の管への挿入用の負荷モジュールであって、負荷モジュールが細長のハウジングを備え、負荷モジュールに電気接触するための２つの接触要素であって、異なる極性を有する、２つの接触要素が、ハウジングの外側に配置される、負荷モジュールに関する。本発明は、３次元耐負荷管構造、および前記種類の少なくとも１つの負荷モジュールを備える家具システムにさらに関する。
【背景技術】
【０００２】
複数の管、および複数の３次元節点要素を備える、３次元耐負荷管構造を有する家具システムであって、２つ以上の管が３次元節点要素のうちの１つの接続点に締結され得る、家具システムが知られている。
【０００３】
例として、ＣＨ４２９  ３１７（Ｕ．Schaerer Soehne）は、枠製作のための管接続を開示しており、そこでは、管端を互いに着脱自在に接続する目的で、各管端に対して、いずれの場合も１つのネジ付き孔を備える接続ヘッドが提供される。ネジ付き孔は、それぞれの軸方向に沿って走る。管端中に突き出る押さえネジは、前記ネジ付き孔に螺合され得、前記押さえネジは、くさび面によって互いに整列させられ、また、前記くさび面から逸れており、かつネジが締められると内側に管端を固定する、端側によって接続ヘッドまたは押さえネジと整列させられる、２つのくさびスリーブをそれらの軸上に有する。
【０００４】
家具物品または家具システム内または上に、負荷、例えば照明器具を配置し、前記負荷に電気エネルギーを供給する必要がある。照明器具などの負荷は、管構造に、例えば機械的に締結され得、電源ケーブルは、後部から家具の開口を通して通され得る。前記種類の電源ケーブルが、目立たないかまたは目に見えないように通され得る電線管は、同様にありふれたものである。
【０００５】
管構造に締結される、例えば照明器具などの負荷、および前記負荷への電源ラインは、家具システムの外見に悪影響をもたらすことが多く、また、例えば、負荷を収容するのに、管構造によって画定される受け入れスペースの部分が必要とされるか、または負荷が前記受け入れスペースまたは出入りエリアの中に突き出る場合、使用を妨げることもある。
【０００６】
したがって、負荷、または前記負荷の少なくとも要素を収容するのに、家具システムの管を使用する手法が知られている。例えば、ＷＯ９４／２１９６１  Ａ１（Ｐｌａｎｌｉｃｈｔ−Ｈａｎｄｅｌｓｇｅｓｅｌｌｓｃｈａｆｔ  ｍｂＨ＆Ｃｏ．ＫＧ）は、家具品物を組み立てるためのキャリア側面、陳列キャビネット、棚装置などを備える照明システムであって、互いに間隔が空けられている孔を有する、照明システムを開示している。照明器具ユニットは、いずれの場合も、キャリア側面の１つの孔に挿入され得る。キャリア側面には、電気導体が配置され、挿入された照明器具ユニットのピン状接触部分が、前記電気導体に電気接触する。照明器具そのものは、側面の外側に配置される。
【０００７】
管の切り欠きであって、細長の穴のような形状である、切り欠きに挿入され得る埋め込み型照明器具は、ＥＰ１  ９６３  ７３４  Ａ１（Ｄｒｅｉｓｅｗｅｒｄ）に開示されている。埋め込み型照明器具は、両側に設けられ、かつ埋め込み型照明器具の位置付けの後、前記埋め込み型照明器具のフランジ端として、管の壁の背後で係合する、刻み目を備える。導体トラックおよびＬＥＤは、ＬＥＤプリント回路基板において、電気接続が外側に確立されるのを可能にする、２つの接続プラグに、差込式舌片によって接続される。ＬＥＤの端面から逸れている、ＬＥＤプリント回路基板のその側に、接続プラグが設けられる。この場合、差込式舌片は、自動車両の電気設備から知られている対応する差込式コネクタで、電源ラインの接続を可能にする。
【０００８】
ＤＥ  ２０  ２０１２  ００３  ６６３  Ｕ１（Ｈｏｒｓｔ  Ｌｅｔｔｅｎｍａｙｅｒ）は、システム管、および前記システム管を接続するネジ付き節点を備える棚装置を開示している。棚装置は、照明デバイスであって、システム管のうちの少なくとも１つが、ネジ付き節点までは延在しない中央の細長の部分溝を有し、ＬＥＤ照明本体が、システム管に挿入される、照明デバイスを有する。電力がシステム管内のＬＥＤ照明本体に供給され、システム管、ＬＥＤ照明本体、およびネジ付き節点は、システム管内に配置される引張りロッドに張力をかけることによって、互いに支え合い、固定され得る。部分溝の領域に位置するＬＥＤ照明本体に電力を供給するために、ＬＥＤ照明本体の長手方向端に配置され、かつ電線を介して電力が供給される、接触子に弾性式に重みをかける、接触ボタンが提供され得る。同じ側に２つの接触子を有するＬＥＤ照明本体と、それらの相対する長手方向端に２つの接触子を有するＬＥＤ照明本体との両方が、考えられる。
【０００９】
負荷モジュールを形成する照明本体は、したがって、システム管内に収容され得る。しかしながら、照明本体を機械的に保持し、かつ照明本体に接触することは、難しいことである。
【発明の概要】
【発明が解決しようとする課題】
【００１０】
本発明によって取り組まれる問題は、３次元耐負荷管構造の管において、簡単かつ確実に、負荷モジュールが保持され得、それとの接触モジュールの接触がなされ得る、冒頭に述べられた技術分野に適している、負荷モジュールを提供することの問題である。
【課題を解決するための手段】
【００１１】
この問題に対する解決策は、請求項１の特徴によって定義される。本発明によれば、接触要素は、負荷モジュールが挿入状態にあるとき、それらが、管の内部に配置されている、異なる極性の２つの接触エリアに、ほぼ半径方向において接触するように、配置される。この場合、ハウジングは、長手方向において中央にある領域であって、少なくとも１つの突出要素を有する領域と、長手方向において外側にある領域も有し、少なくとも１つの突出要素が、切り欠きの縁と相互作用し、また、外側領域が、切り欠きに隣接する領域において、管の内側ケーシングに重みをかけるように、負荷モジュールが、管構造の管であって、細長の切り欠きが設けられている、管に挿入され得る。外側領域のうちの１つにおける接触要素のうちの第１の接触要素は、第１の周縁位置に配置される。
【００１２】
本発明による負荷モジュールは、管にほぼ完全に収容され得る。しかしながら、このことは、個々の要素が、管によって画定される断面の外に突き出ることができない、ということを意味しない。負荷モジュールのハウジングは、細長であり、したがって、管の幾何学的形状に適合している。長手方向における（すなわち、取り付け状態における管の長手方向軸に平行な）範囲は、例えば、短手方向における（すなわち、管に対して半径方向における）範囲よりも、少なくとも４倍大きく、特に少なくとも６倍大きい。
【００１３】
本発明によれば、また先行技術とは対照的に、２つの接触要素は、それらが、管内を走っている導体に、ほぼ半径方向において接触するように、配置される。すなわち、接触要素によって画定される接触領域と、負荷モジュールが取り付け状態にあるときの管の内部における接触エリアとは、ハウジングのケーシング面と、管の内側ケーシングとの間に、ハウジングの端側ではほぼ軸方向ではなく位置する。
【００１４】
この配置が、かなり簡単に、負荷モジュールとの電気接触がなされるのを可能にすることが確認されている。同時に、負荷モジュールは、管において容易かつ確実に機械的に保持され得る。第１の接触要素、例えば、導電性材料そのものから製造されている管要素は、切り欠きに隣接する領域において、管の接触エリアに直接接触することができる。
【００１５】
切り欠きと相互作用する目的で、本発明による負荷モジュールのハウジンングは、長手方向において中央にある領域であって、少なくとも１つの突出要素を有する、領域と、長手方向において外側にある領域も有する。それにより、少なくとも１つの突出要素が切り欠きの縁と相互作用し、また、外側領域が、切り欠きに隣接する領域において、管の内側ケーシングに重みをかけるように、負荷モジュールは、管構造の管であって、細長の切り欠きが設けられている、管に挿入され得る。負荷モジュールは、このようにして、安全に、管上の規定位置に保持される。
【００１６】
少なくとも１つの突出要素は、切り欠きの幾何学的形状に整合している平坦構造、または整合的に切り欠きの縁を再現する構造、または互いに間隔が空けられている点において、切り欠きの縁と相互作用する複数の構造、であり得る。少なくとも１つの突出要素と、切り欠きの縁との間の相互作用は、したがって、管構造の管における負荷モジュールのハウジングの位置の明確な規定に導く。
【００１７】
本発明によれば、接触要素のうちの第１の接触要素は、負荷モジュールのハウジングの外側領域のうちの１つにおいて第１の周縁位置に配置される。接触要素は、負荷モジュールが挿入された場合、負荷モジュールの領域であって、切り欠きに隣接する、領域に配置されるのが好ましい。すなわち、第１の周縁位置は、少なくとも１つの突出要素を有する中央領域の周縁位置にほぼ対応する。第１の接触要素、例えば、導電性材料そのものから製造される管要素は、したがって、切り欠きに隣接する領域において、管の接触エリアに直接接触することができる。
【００１８】
本発明は、３次元耐負荷管構造を有する家具システムであって、
ａ）管のうちの少なくとも１つが、管の内部に配置される異なる極性の２つの接触エリアを有する、複数の管と、
ｂ）２つ以上の管を互いに機械的に締結させるための複数の３次元節点要素と、
ｃ）家具システムの３次元耐負荷管構造の少なくとも１つの管への挿入用の少なくとも１つの負荷モジュールであって、負荷モジュールが、細長のハウジングを備え、負荷モジュールに電気接触するための２つの接触要素であって、異なる極性を有する、２つの接触要素が、前記ハウジングの外側に配置され、接触要素が、負荷モジュールが挿入状態にあるとき、それらが、管の内部に配置される異なる極性の２つの接触エリアに、ほぼ半径方向において接触するように、配置される、少なくとも１つの負荷モジュールと、を備える、家具システムにさらに関する。
【００１９】
家具システムは、例えば、棚システム、キャビネットシステム、引き出しシステム、または前記構成要素の中からの様々な構成要素を備えるシステムであり得る。家具システムは、具体的には、モジュール式組立であり得る。このことは、多数の異なる構成が、限られた個数の基本要素（管、節点要素、ならびにビルトインおよびビルトオンの構成要素）での事実上、制限なしに組み立てられ得る、ことを意味する。
【００２０】
管の断面は、様々な形状を呈することができる。例として、管の断面は、円形または正多角形の外側形状を有することができるが、不規則な閉形状または均一な開形状も考えられる。
【００２１】
３次元節点要素は、締結状態において、すべてが必ずしも同じライン上または同じ平面にある必要がない、複数の管の接続を可能にする。架空の立方体の外側に配置される６つの接続点を有する節点要素が、特に好ましい。したがって、それの構造要素（管）が３次元長方形格子に沿って走る家具は、管、およびこの種類の節点要素を使用して組み立てられ得る。節点要素そのものは、適宜、立方体形状であることができるか、または異なる適切な形状、例えば球の形状を有することができる。節点要素は、同じ節点要素に締結される管間で、好ましくは２つの極を使用して、電気接続が生み出されるように設計され得る。
【００２２】
この種類の家具システムは、特に、同じ出願人による２０１３年１２月１３日付けの、係属中の欧州特許出願第１３  ４０５  １３９．０号において説明されている。
【００２３】
すべての管およびすべての節点要素が前記の接触エリアまたは電流導電性を有することが必須ではない。通電しない管および節点要素は、本発明による家具システムの範囲内で、通電する要素と組み合わせられ得る。
【００２４】
負荷モジュールは、特に、照明要素を備えることができる。負荷モジュールが、家具システムの管によって画定される断面にほぼ完全に収容されるように、照明要素が、負荷モジュールに配置されるのが好ましい。結果として、都合のよい単純な外見が実現され得、家具システムによってもたらされる収容スペース、または前記収容スペースへの出入り口は、不利な影響を受けない。様々な照明要素、具体的には、１つの点状の光源もしくは平らな光源、または複数の光源を備える照明要素、拡散光を生成する照明要素、および対象とする光を生成する照明要素が考えられる。照明要素は、拡散体、反射体および／または遮蔽物で設計され得る。前記照明要素は、明るさおよび／または色もしくは色温度が調整され得るように設計され得る。光は、ＬＥＤまたはＯＬＥＤモジュールに基づき生成され得るが、他のテクノロジーも同様に適用可能である。
【００２５】
他の機能を備える負荷モジュールも、同様に、本発明の対象である。前記負荷モジュールは、したがって、負荷、そうでなければ冷却、暖房、または喚起のデバイスを接続するための接続要素、例えばソケットおよび／またはプラグを備えることができる。負荷モジュールと同様に、制御モジュールまたはセンサモジュールが、管構造の管に収容され得る。前記制御モジュールまたはセンサモジュールは、例えば、同じモジュールにおいて一体化されている負荷、他の負荷モジュールおよび／または外部デバイスを制御するのに役立つ。センサは、具体的には、運動センサ、有無センサ、光センサ、または温度センサであり得る。さらに、センサは、特に家具システムと相互作用することができ、また、例えば、ドアの開放を検出することができる。例として、負荷モジュールの照明要素は、管構造の内部スペースであって、照明要素によって照明される、内部スペースを閉じる扉が開かれると、選択的にスイッチが入れられ得る。１つのモジュールが、いくつかの機能（負荷、制御装置、センサシステム）を行うことができる。
【００２６】
挿入モジュール間の通信は、データが家具システムの電力伝送ラインにおいて変調されることによって、電力線通信（ＰＬＣ：ＰｏｗｅｒＬｉｎｅ  Ｃｏｍｍｕｎｉｃａｉｏｎ）により行われるのが好ましい。挿入モジュール（センサモジュール、制御モジュール、および負荷モジュール）には、対応する電子機器が含まれる。例えば、別個の制御ラインを介して、または、適切なプロトコル、例えばＢｌｕｅｔｏｏｔｈ（登録商標）によって無線で、といった他のタイプの伝送も同様に考えられる。
【００２７】
モジュールは、中央データベースを用いて、または個々のモジュールにおける設定を用いてローカルに、割り当てが行われる、一意の番号によって特定される。割り当ての設定は、外部制御デバイスを用いて、またはモジュールのオペレータ制御装置のみによって開始され得る「ペアリング」方法によって、行われる。
【００２８】
管のうちの少なくとも１つは、管に沿って第１の極性の電流と第２の極性の電流とを流すのに、管に沿って走り、かつ互いから絶縁される、２つの電流導体を有するのが好ましい。したがって、電流は、家具システムの管によって直接流され得、別個の給電ラインが余分となる。
【００２９】
電流を流すための、互いから絶縁される２つの電流導体は、少なくとも１つの管において、互いに同軸に配置されるのが好ましい。この配置は、費用効果的にもたらされ得、小さな半径方向断面でかなり高い電流強度を可能にする。さらに、対応装備の管が節点要素と、簡単に組み合わされ得、そこでは、例えば、すでに述べられたＥＰ１３  ４０５  １３９．０から明らかであるように、２つの極性が、管間で同軸式に同様に送られる。このことは、次に、関わっている家具システムの構造要素のすべてにおける特に簡単な導体配置につながる。
【００３０】
少なくとも１つの管は、導電性材料から成り、かつ第１の極性を流す働きをする構造管要素と、第２の極性を流すのに、構造管要素に絶縁された様式で収容される内部導体と、を備えるのが好ましい。第１の極性は、具体的には、中性導体（接地）である。したがって、管の組立は、特に簡単である。
【００３１】
内部導体は、管に挿入され、１つの端において絶縁される、導電性箔によって形成され得る。このことは、導体が提供される管の簡単な製造につながる。例えば、内部導体が、第１の極性を流す働きをする導電性材料から、絶縁層によって分離される対応する被覆によって形成され得る、といった他の変形形態が考えられる。
【００３２】
代替として、導体は、それと違って、少なくとも１つの管内を走ることもできる。例として、導体は、互いに対して平行に線形式に配置され得る。
【００３３】
少なくとも１つの管は、細長の切り欠きを備えるのが有利であり、少なくとも１つの負荷モジュールは、それが、細長の切り欠きを通して少なくとも１つの管に挿入され得るように設計されるのが有利である。負荷モジュールは、したがって、管構造がすでに完成されている場合にも、すなわち、管が、節点要素にすでに接続されている場合にも、管に挿入され得る。負荷モジュールは、管が節点要素から外される必要なしに、再び管からすぐに取り外され得るのも好ましい。したがって、構成が、素早くかつ容易に既存の要件に適合され得る。切り欠きが設けられているが、切り欠きを閉じるために、負荷モジュールを収容することがその時点では意図されない、管に遮蔽物が挿入され得る。
【００３４】
切り欠きは、それが管の端までは及ばないように、管に配置されるのが有利である。このことは、管の高い程度の安定性を確実にし、節点要素または接続機構との相互作用の事象における問題を防ぐ。
【００３５】
本発明によれば、負荷モジュールのハウジングの外側領域のうちの１つにおける接触要素のうちの第１の節点要素は、第１の周縁位置に配置される。接触要素は、負荷モジュールが挿入された場合、負荷モジュールの領域であって、切り欠きに隣接する、領域に配置されるのが好ましい。すなわち、第１の周縁位置は、少なくとも１つの突出要素を有する中央領域の周縁位置にほぼ一致する。第１の接触要素、例えば、導電性材料そのものから製造される管要素は、したがって、切り欠きに隣接する領域において、管の接触エリアに直接接触することができる。
【００３６】
接触要素のうちの第２の接触要素は、少なくとも６０°、好ましくは少なくとも９０°、特に好ましくは少なくとも１３５°の角度を、第１の周縁位置と共に囲む第２の周縁位置に配置されるのが好ましい。このことは、接触要素の良好な支持につながり、不完全な接触動作が確実に回避される。
【００３７】
好ましい実施形態において、第１の接触要素は、ほぼ中央領域の中心線の延長上に配置される一方、第２の接触要素は、その周縁位置において、１８０°ずれるように、ハウジングの後部側に配置される。少なくとも１つの負荷モジュールの接触要素のうちの第２の接触要素は、負荷モジュールが挿入された場合、したがって、負荷モジュールの領域であって、切り欠きに対して後部にある、領域に配置される。
【００３８】
接触要素のうちの少なくとも１つ、具体的には、中央領域の周縁位置から間隔が空けられている周縁位置に位置する接触要素は、弾性設計であることが有利である。両方の接触要素が弾性設計であることも可能である。電気接触動作の確実性が、このようにして高められる。弾性接触子のうちの少なくとも１つは、電気接触するのに加え、モジュールを管に機械的に固定するのに役立つのも同様に好ましい。弾性接触子のうちの少なくとも１つ、具体的には、切り欠きから逸れているその側の負荷モジュールに配置される接触子が、割合に大きな撓みを有して設計される場合、管における安定した支持および位置付けは、ハウジングの比較的低い深さでも実現され得る。同時に、切り欠きを通した負荷モジュールの挿入および取り外しが、低い深さにより大幅に簡単にされる。
【００３９】
照明要素の場合、光出口エリア、具体的には、突出要素の一部としての光出口エリアは、ハウジングの中央領域に配置されるのが有利である。放射光は、したがって、実質的に周囲の管によって妨げられることなく、照明されるべき立体角領域に達することができる。遮光損失が回避される。さらに、照明要素のスイッチが入れられた場合、都合のよい外見がもたらされる。
【００４０】
好ましい実施形態において、本発明による照明要素は、したがって、光出口エリアを形成し、それの幾何学的形状が、照明要素が挿入され得る、管の切り欠きに一致する、突出要素を第１の側の中央領域に（または、第１の周縁領域に）有する細長のハウジングを有する。第１の極性を有する第１の接触要素は、中央領域の隣に配置される。第２の極性を有する第２の接触要素は、ハウジングの後部側に配置され（すなわち、第１の接触要素に対してほぼ１８０°ずれている周縁位置で）、弾性設計である。２つの接触要素は、照明要素に電気接触するのに役立つだけでなく、管の切り欠きにおいて前記照明要素を機械的に固定することも行う。
【００４１】
本発明の特徴のさらなる有利な実施形態および組み合わせは、以下の「発明を実施するための形態」、および「特許請求の範囲」のすべてから集められ得る。
【図面の簡単な説明】
【００４２】
代表的な実施形態を図解するのに使用される図面において：
【００４３】
【図１】本発明による、家具システムの管への節点要素の接続を通る断面を示す図である。
【図２Ａ】負荷モジュールを収容するための切り欠きを有する、本発明による家具システムの管の斜視図、および管を通る２つの断面を示す図である。
【図２Ｂ】負荷モジュールを収容するための切り欠きを有する、本発明による家具システムの管の斜視図、および管を通る２つの断面を示す図である。
【図２Ｃ】負荷モジュールを収容するための切り欠きを有する、本発明による家具システムの管の斜視図、および管を通る２つの断面を示す図である。
【図３Ａ】本発明による、照明器具モジュールの斜視図および分解図である。
【図３Ｂ】本発明による、照明器具モジュールの斜視図および分解図である。
【図４Ａ】本発明による、照明器具モジュールを通る断面を示す図である。
【図４Ｂ】本発明による、照明器具モジュールを通る断面を示す図である。
【図５】照明器具モジュールが挿入された場合の管を通る断面を示す図である。
【図６】２つのコンセントを備える負荷モジュールの斜視図である。
【図７】切り替え要素を備える挿入モジュールの斜視図である。
【００４４】
原則として、図全体を通して、同一の部分には、同じ参照番号が与えられている。
【発明を実施するための形態】
【００４５】
本発明による、家具システムの一実施形態は、節点要素によって３次元耐負荷管構造に接続され得る、円い断面を有する管を備える。具体的には、棚、カバー、側部、扉、フラップ、引き出し、および同様の要素が管構造に締結され得る。図１は、本発明による、この家具システムの管への節点要素の接続を通る断面を示す。
【００４６】
節点要素１００は、球状接続ヘッドとして設計される。節点要素は、３つのネジ付き孔１１０、１２０、１３０を備え、それらの軸は、いずれの場合も、互いに直角に、また球の中心点を通って直径方向に走る。したがって、節点要素１００の外側面は、ネジ山１１１、１２１と相互作用するネジがそこを通して挿入され得る、６つの開口を有する。それにより、必要に応じて、節点要素１００を用いて、２〜６本の管が互いに接続され得る。
【００４７】
節点要素１００は、一体式外側部分１０１、一体式内側部分１０２、およびそれらの間に配置される電気絶縁層１０３で構成される。ネジ付き孔１１０、１２０、１３０は、内側部分１０２のみを通って走る。外側部分１０１および内側部分１０２は、クロムメッキ真鍮から作られ、絶縁層１０３は、適切なプラスチックから成る。
【００４８】
図１では、それの端側セクションのみが示されている管２００は、クロムメッキ鋼から成る外側ケーシング２０１を備える。絶縁材料、例えばプラスチックから成る外側層２１１と、導電性材料、例えば銅から成る内側層２１２と、を備える内側管２１０は、外側ケーシングに収容される。内側管２１０は、管２００の端までは及ばず、むしろ、例えば約１０ｃｍの事前設定の距離で終わる。締結状態では、外側ケーシング２０１は、その外側部分１０１の領域において、節点要素１００に、その自由端によって接触する。接触エリアの大きさを大きくするために、外側ケーシング２０１は、示された代表的な実施形態から逸脱して、球状面に適合している幾何学的形状を端側に有することができる。
【００４９】
管２００を節点要素１００に締結するために、ほぼ同一の組立である２つのくさびスリーブ２２１、２２２と、導電性材料から成る押さえネジ２３０とが、管２００に収容され、押さえネジ２３０は、２つのくさびスリーブ２２１、２２２を通して、またそのネジ付き軸２３１の端によって、挿入され、節点要素１００の関連のネジ付き孔１２０に螺合される。節点要素１００に面する前部くさびスリーブ２２１は、非導電性材料から製造されるか、または、管２００、押さえネジ２３０、および／または節点要素１００との接触エリアの領域に電気絶縁を有する。電気絶縁性材料、例えばプラスチックから成る絶縁体リング２４１と、導電性材料、例えば銅板から成る接触リング２４２とが、ネジ２３０の頭部２３２と、節点要素１００から逸れているくさびスリーブ２２２のその端側との間に配置される。接触リング２４２は、輪形主要部分２４３と、外側に周方向に配置される弾性接触部分２４４とを備える。載置状態では、前記接触要素は、内側管２１０の内側層２１２に接触する。
【００５０】
くさびスリーブ２２１、２２２は、スリーブ軸に対して傾斜しているそれらのくさび面により互いに支持され、節点要素１００から逸れているそれらの端側によって、ネジ２３０の頭部２３２と整列させられる。くさびスリーブ２２１、２２２の外径は、管端が前記くさびスリーブにわずかに押されるのを可能にする遊びだけ、管端の内径よりも小さい。管２００がくさびスリーブ２２１、２２２に押し込まれた後、押さえネジ２３０が締められると、くさびスリーブ２２１、２２２は、管端の内側に押し付けられ、前記管端を固定する。ネジ頭部と整列させられるくさびスリーブの変位は、節点要素１００に向けられ、節点要素１００に向かって管２００を担持しようとする変位成分をさらに有し、結果として、管２００の外側ケーシング２０１と、節点要素１００の外側部分１０１との間で安定した接触がなされることを確実にする。
【００５１】
押さえネジ２３０を締めたり緩めたりするために、前記押さえネジの頭部２３２には、多角形挿入穴２３３（または、代わりにネジ回しの係合用の溝）が設けられている。頭部２３２と反対側にある、ネジ２３０のネジ付き軸２３１の端も、キーを挿入するための多角形挿入穴２３４を有する。
【００５２】
比較的短い管では、ネジ２３０の頭部２３２は、ネジ回しまたはレンチによって到達され得る。多くの場合、例えば角接続を確立する際など、ネジ２３０のネジ付き軸２３１の２３４には、対応する多角形ソケットレンチによって、ネジ付き孔１２０の使用されていない開口であって、節点要素１００において半径方向反対側に開いている、使用されてない開口を通って達することができる。さらに、一時的に管の内側に少しだけ重みをかけるくさびスリーブの場合、ネジ２３０の完全な締めまたは緩めは、その軸を中心に管２００を相応に回すことによっても可能であることが確認されている。
【００５３】
ネジ付き孔１１０、１２０の開口であって、管接続において使用されていない、開口は、ネジ２３０が締められた後、いずれの場合も１つの無頭ネジによって閉じられるのが有利である。
【００５４】
接続状態では、２つの極を使用して、管２００と節点要素１００との間で、電流が送られ得る。第１の極性（中性導体）に接触するために、管２００の外側ケーシング２０１は、節点要素１００の外側部分１０１に直接接触する。第２の極性（位相）は、管２００の領域における内側管２１０の内側層２１２において通される。そこでは、電流は、接触リング２４２の弾性接触部分２４４によって取り出され（ｔａｐｐｅｄ  ｏｆｆ）、主要部分２４３によって、ネジ２３０の頭部２３２に送られる。これにより、ネジ２３０のネジ付き軸２３１および節点要素１００のネジ付き孔１２０のネジ山１２１によって、節点要素１００の内側部分１０２との接触がなされる。同じように節点要素１００に接続されるさらなる管は、したがって、外側部分１０１および内側部分１０２によって、２つの極を使用して、管２００の対応する導体に電気接続される。
【００５５】
節点要素１００のうちの１つに締結され得る接触式要素によって、家具システムに電力が供給される。接触式要素は、保持ネジ用の受け孔を有するハウジングを備える。さらに、２極接続ケーブル用の２つの接続点が、ハウジングに収容されている。接触要素は、いずれの場合も、接続点に導電接続される。接触式要素は、保持ネジを、節点要素のネジ付き孔の任意の所望の開口に螺合させるだけで、締結され得る。接触要素は、それにより、節点要素１００の外側部分１０１または内側部分１０２に接触する。
【００５６】
安全上の理由で、家具システム内にかけられる電圧は、４８Ｖを超えてはならず、極めて適切な電圧値は、２４Ｖである。
【００５７】
図２Ａは、負荷モジュールを収容するための切り欠きを有する、本発明による家具システムの管の斜視図を示し、図２Ｂ、２Ｃは、その管を通る２つの断面をそれぞれ示す。図２Ｂは、切り欠きによって画定されたエリアに平行に、管の中心軸を通って走る平面に沿う断面と共に、切り欠きなしの管のセクションにおいて、中心軸に直角な断面も示す。図２Ｃは、管の中心軸を通って走り、かつ切り欠きによって画定されている範囲に直角である平面に沿う断面と共に、切り欠きを有する管のセクションにおいて、中心軸に直角である断面も示す。
【００５８】
管２００は、均等に間隔が空けられている同一の長さの３つの切り欠き２５０．１、２５０．２、２５０．３を備える。切り欠きは、半円状に丸みを帯びている長手方向端を有する細長の長方形の形状を有する。代表的な実施形態によれば、管は、１９ｍｍの外径を有し、切り欠きの幅は、いずれの場合も８．２ｍｍであり、長さは、１６３ｍｍである。それぞれの管端からの外側切り欠き２５０．１、２５０．３の距離は、６８ｍｍであり、切り欠き２５０．１、２５０．２、２５０．３間の相互距離は、いずれの場合も５３ｍｍである。
【００５９】
内側管２１０（図１を参照）は、切り欠き２５０．１．．．３を取り囲む領域において切り欠かれ、したがって、管２００の外側ケーシングには、直接届く。
【００６０】
図３Ａは、本発明による、照明器具モジュール３００の斜視図を示し、図３Ｂは、その分解図を示す。前記照明器具モジュールは、平面状に光を放射する働きをする。前記照明器具モジュールは、プラスチックから成る細長のキャリアレール３１０と、前記キャリアレールの表側に締結され、かつ複数のＬＥＤ照明要素を有するプリント回路基板３２０と、プリント回路基板３２０の表側に配置される反射体３３０と、拡散体フィルム３４１が内側に施され、キャリアレール３１０に締結され、かつ締結状態では、プリント回路基板３２０および反射体３３０を取り囲む、レンズ側面３４０と、を備える。
【００６１】
キャリアレール３１０は、ほぼ長方形の形状を有する平基板３１１を備える。２つのバネセクション３１２、３１３は、前記基板の底側に、基板３１１と一体的に形成される。前記バネセクションは、基板３１１から始まり、基板３１１の自由端の方向において、外側に斜め下方に延在する。長手方向における前記バネセクションの範囲は、いずれの場合も、照明器具モジュールの長手方向範囲の約５分の１に一致する。前記バネセクションが合わせ面上に留まっている場合、基板と合わせ面との間の距離が縮まるにつれて強まる抵抗により、バネセクション３１２、３１３は、基板３１１の主要平面に直角な垂直運動に対抗する。撓みにより、照明器具モジュール３００は、それが、少なくともその端領域において、管断面に完全に収容される程度まで、一時的に管中に移動することができる。しかしながら、同時に、バネセクション３１２、３１３はまた、照明器具要素３００が取り付け状態にあるとき、照明器具要素３００をその位置に確実に固定するために、部分的に圧縮される。
【００６２】
キャリアレール３１０の自由端のうちの１つの領域において、キャリアレール３１０の主要エリアに直角上向きに延在する、保持要素３１４は、同様にキャリアレール３１０と一体的に形成される。終端３１５は、キャリアレール３１０の反対側の自由端に一体的に形成され、複数の細長の突出部３１６は、上方主要エリアの下の側部に一体的に形成される。
【００６３】
プリント回路基板３２０は、その端のうちの１つにおいて、保持要素３１４に機械的に締結される。２つの接触子３２１は、保持要素３１４の対応する受け口の中に突き出、したがって、２つの極を使用して、プリント回路基板３２０との接触がなされ得る。ＬＥＤ照明要素３２２は、プリント回路基板３２０の表側に、均等な間隔１８で載置され、制御電子機器、およびＬＥＤ照明要素に電力を供給するための構成要素は、底側に配置される（見えない）。制御電子機器は、さらなるモジュールまたは外部制御デバイスと通信するための構成要素を備えることができる。
【００６４】
２つのバネ接触子は、同様に、保持要素３１４に機械的に締結される。第１のバネ接触子３５１は、Ｚ形状の設計であり、キャリアレール３１０の底側へ延在し、さらに、対応するバネセクション３１３にも機械的に締結される。第１のバネ接触子３５１は、その底側において、第１の接触エリア３５１ａを形成する。第１のバネ接触子３５１は、対向端において、第２の接触エリア３５１ｂを形成する。載置状態では、前記第２の接触部は、プリント回路基板３２０の接触子３２１のうちの１つと直接相互作用する。第２のバネ接触子３５２は、Ｕ形状の設計である。載置状態では、第１の肢部３５２ａは、プリント回路基板３２０の接触子３２１のもう一方と直接相互作用する。第２の肢部３５２ｂは、保持要素３１４の表側に、第２のバネ接触子３５２の土台によって導かれ、そこで、照明器具モジュール３００のハウジングの上方外側を越えて、レンズ側面３４０における開口３４２を貫通する。
【００６５】
反射体３３０は、細長であり、ＬＥＤ照明要素３２２の個数および位置に一致する開口を有し、反射体領域によって取り囲まれる。載置状態では、反射体は、キャリアレール３１０の保持要素３１４と終端３１５との間に、軸方向に、嵌合式に保持される。
【００６６】
透明プラスチック材料から成るレンズ側面３４０は、光出口エリア３４３を有し、それの外側幾何学的形状は、図２による管における切り欠き２５０の形状に適合しており、面は、したがって、わずかに湾曲しており、丸みを帯びた角を有するほぼ長方形の形状を有する。光出口エリア３４３は、ＬＥＤ照明要素によって放射される光を、適切に、集束させるかまたは分散させる一体的に形成されたレンズ側面を備える。凹エリア３４４は、光出口エリア３４３の第１の側に位置し、前記開口３４２は、前記凹エリアに配置され、第２のバネ接触子３５２の上方肢部３５２ｂは、前記開口を貫通する。光出口エリア３４３の反対側に、さらなる凹エリア３４５が位置する。光出口エリア３４３の軸方向長さは、切り欠き２５０の場合のように、１６３ｍｍである。開口３４２が設けられている凹エリア３４４は、９．２ｍｍの軸方向長さを有し、もう一方の凹部エリア３４５は、２ｍｍの軸方向長さを有する。
【００６７】
レンズ側面３４０の側面には切り欠き３４６が設けられ、それらの幾何学的形状は、キャリアレール３１０の細長の突出部３１６に一致する。レンズ側面３４０は、突出部３１６との切り欠き３４６の相互作用により、キャリアレール３１０に機械的にしっかりと締結され得る。同時に、前記２つの構成要素間に、照明器具モジュール３００のさらなる要素が固定される。
【００６８】
照明器具モジュール３００は、図３Ａ、さらに図４では、載置状態で示される。図４Ａは、光出口エリア３４３に対して、またキャリアレール３１０の主要エリアに対して直角に、照明器具モジュール３００の中心軸に沿う断面を示す。図４Ｂは、照明器具モジュール３００の２つの端領域における同じ断面を拡大で示す。
【００６９】
図５は、照明器具モジュール３００が挿入された場合の管２００を通る断面を示す。バネセクション３１３は、部分的に圧縮される。照明器具モジュール３００は、バネ接触子３５１の接触エリア３５１ａ、およびバネセクション３１２の下方面によって、底側において、管２００に接触する。表側では、照明器具モジュール３００は、光出口エリア３４３の側部の２つの凹エリア３４４、３４５の領域において、管２００に接触する。部分的に圧縮されたバネセクション３１３により、これらの４つの接触点は、第１の半径方向に、また管２００における明確に定められた位置に、照明器具モジュール３００をしっかりと保持する。
【００７０】
軸方向の固定と、第１の半径方向に直角な第２の半径方向における固定とは、光出口エリア３４３が、切り欠き２５０に正確に嵌合して収容されることによって、もたらされる。第２のバネ接触子３５２の上方肢部３５２ｂは、管２００の内側ケーシングに導電接触し、第１のバネ接触子３５１の下方肢部３５１ａは、管２００に通されている内側導体２１２に導電接触する。したがって、２つの極を使用して、管２００に挿入されている照明器具モジュール３００との電気接触がなされる。
【００７１】
照明器具モジュール３００は、前記照明器具モジュールが、前部にある端のうちの１つで、切り欠きを通して管２００に挿入されることによって、管２００に挿入され得る。対応するバネセクション３１２、３１３を圧縮することにより、照明器具モジュール３００は、光出口エリア３４３が、それぞれの凹エリア３４４、３４５に隣接する領域において、切り欠きに隣接する管内壁の背後を一時的に通るほど深く管２００に入れられ得る。照明器具モジュール３００は、次に、反対の端まで、同様に管２００に挿入され得る。引き続き、照明器具モジュール３００は、光出口エリア３４３が切り欠きに嵌合式に収容されるまで、軸方向にずらされる。
【００７２】
取り外しでは、照明器具装置３００は、それが、１つの方向において軸方向にずらされ得るまで、バネセクション３１２、３１３の力に対して、わずかに内向きに押される。光出口エリア３４３は、再度、それぞれの凹エリア３４４、３４５に隣接する領域において、切り欠きに隣接する管内壁の背後を一時的に通る。照明器具モジュール３００のそれぞれのもう一方の端は、次に、対応するバネセクション３１２、３１３のバネ力により、外向きに押され、したがって、照明器具モジュール３００は、把持され、取り外され得る。
【００７３】
図６は、２つのコンセントを備える負荷モジュールの斜視図を示す。負荷モジュール４１０の幾何学的形状は、図２〜５に関連して説明されたような、照明器具モジュール３００の幾何学的形状にほぼ一致する。ＵＳＢ規格に従う２つのコンセント４１１．１、４１１．２は、上方エリア（照明器具モジュールの光出口エリアに一致する）の中央セクションに配置される。前記コンセントには、前記接触子によって管から電力が供給され、前記電力は、負荷モジュール４１０のハウジングに収容されている対応する電子素子によって変換され、したがって、ＵＳＢ規格に従う電力接続は、２つのコンセント４１１．１、４１１．２において使用可能である。デバイスは、電力が供給され得るか、またはＵＳＢコンセントによって充電され得る。ＵＳＢコンセントによるデータ伝送も、原則として可能である。
【００７４】
図７は、切り替え要素を備える挿入モジュールの斜視図を示す。挿入モジュール４２０の幾何学的形状もまた、図２〜５に関連して説明されたような、照明器具３００の幾何学的形状にほぼ一致する。オペレータ制御要素、具体的には、３つのセンサボタン４２１．１、４２１．２、４２１．３は、上方エリア（照明器具モジュールの光出口エリアに対応する）の中央セクションに形成される。負荷、例えば照明器具は、第１のセンサボタン４２１．１によって、オンとオフとが切り替えされ得る。負荷のパラメータ、例えば照明器具の明るさは、２つのさらなるセンサボタン４２１．１、４２１．３によって上げ下げされ得る。負荷は、同じ挿入モジュールに収容され得る。そうではない場合、制御パルスが、前記制御パルスが、ライン（電力線通信、ＰＬＣ）において変調されることによって、自体既知であるように電力供給ラインにより、対応する負荷モジュールに送られる。対応する電子機器が、挿入モジュール、また負荷モジュールに含まれる。
【００７５】
同様に、一連の制御モジュールおよび負荷モジュール、また例えばセンサモジュールなどのさらなるモジュールは、互いに通信することができる。各モジュールは、一意の番号によって特定される。モジュールの割り当ては、対で行われ得るが、より複雑な関係も実現され得る。割り当ては、外部制御デバイスを用いて、またはモジュールのオペレータ制御のみによって開始され得る「ペアリング」方法によって行われる。
【００７６】
本発明によるシステムの範囲内で使用され得る挿入モジュールは、完全に異なる制御要素を備えることができる。最も単純な場合、制御要素が１つのみであり、より複雑な場合、一連の制御要素が提供され得る。制御要素によって使用されない上方エリアの中央セクションのその部分、すなわち、切り欠きを通して見えるそのエリアには、主に制御要素が外側から見えるように、管の外側に一致する被覆が施される。
【００７７】
本発明は、説明された負荷モジュールおよび挿入モジュールに限定されるものではない。例として、照明器具モジュールは、顕著な照明方向を有する１つまたは複数のスポット光源も有することができる。スポットは調整可能とすることができる。同様に、光源が、モジュールの載置状態において、管の外に突き出る可動要素の自由端に配置される、例えばグースネックのモジュールが、実現可能である。
【００７８】
光源は、それらの色または色温度が制御され得るように設計され得る。同じことが、明るさに適用される。モジュールは、例えば、あるレベルの周囲の明るさが目標を下回る場合、光を自動的に点けるために、光センサを備えることができる。同様に、近接センサ、運動センサ、または有無センサが使用され得る。さらに、家具システムの要素、例えば、扉またはフラップの状態は、センサによってモニタされ得る。例えば、赤外ＬＥＤと、反射光を検出するためのフォトトランジスタとを用いて、フラップまたは扉が開けられたかまたは閉じられたかを立証する、開放センサが使用され得る。例として、光源は、その結果に基づき、オンとオフが自動的に切り替えられ得る。
【００７９】
要約すると、本発明が、３次元耐負荷管構造の管において、簡単かつ確実に保持され得、それとの接触がなされ得る、負荷モジュールを提供することが確認され得る。
【図１】
0006722705.tif 000002
【図２Ａ】
0006722705.tif 000003
【図２Ｂ】
0006722705.tif 000004
【図２Ｃ】
0006722705.tif 000005
【図３Ａ】
0006722705.tif 000006
【図３Ｂ】
0006722705.tif 000007
【図４Ａ】
0006722705.tif 000008
【図４Ｂ】
0006722705.tif 000009
【図５】
0006722705.tif 000010
【図６】
0006722705.tif 000011
【図７】
0006722705.tif 000012